(57)【特許請求の範囲】
【請求項１】
緊急災害情報を受信する受信手段と、
災害に応じた処理条件を設定し、記憶する設定手段と、
受信した前記緊急災害情報に基づいて災害を特定し、前記災害に応じた処理条件に基づいて、予め定められた複数の接続先に、予め定められた情報を通知する処理手段と、を少なくとも備え、
前記予め定めた情報は、安否情報と、遠隔操作が可能な機器に対する制御情報と、を含み、
前記遠隔操作が可能な機器がライフライン機器であって少なくとも電力・ガス・水道の１つであることを特徴とする携帯電話装置。
【請求項２】
前記制御情報は、前記機器の動作を停止若しくは再起動させるコマンドであることを特徴とする請求項１に記載の携帯電話装置。
【発明の詳細な説明】
【技術分野】
【０００１】
本発明は、携帯電話装置及び緊急災害情報受信時の制御方法に関する。
【背景技術】
【０００２】
近年、緊急災害情報網のインフラ整備が急速に発展し、携帯電話装置においても緊急災害情報網を容易にサービス授受することが可能になっている。携帯電話装置では、通常、図３に示すように、緊急災害情報を受信／認識した後、その緊急災害情報を表示部に表示してユーザに通知する制御を行っている。
【０００３】
また、ユーザの利便性を向上させるために、下記特許文献１には、携帯電話機本体の位置を取得する位置情報取得部と、災害が発生した時に、予め用意された複数の災害対策情報の中から、位置情報取得部によって特定された携帯電話機の位置に応じた災害対策情報を選択してユーザに通知する携帯電話機が開示されている。
【０００４】
また、下記特許文献２には、測位サーバから送信された災害緊急情報に含まれる測位指示情報を受信して位置情報を取得する手段と、災害緊急情報に含まれる安否確認情報を表示する手段と、位置情報とユーザにより入力された安否情報を測位サーバに送信する手段と、を備えた携帯端末が開示されている。
【０００５】
【特許文献１】特開２００６−３０１９６９号公報
【特許文献２】特開２００７−８７１３９号公報
【発明の開示】
【発明が解決しようとする課題】
【０００６】
しかしながら、緊急災害情報受信時にユーザが希望する処理は様々であり、単に、緊急災害情報を表示したり、特許文献１のように携帯電話装置の位置に応じた災害対策情報を選択して表示したり、特許文献２のように位置情報と安否情報を送信するだけでは不十分である。
【０００７】
すなわち、ユーザの利便性を向上させるためには、緊急災害情報で特定される災害が処理が必要な災害であるかを自動的に判断したり、通知する情報の内容や通知する接続先を容易に設定できるようにしたり、遠隔操作が可能な自宅設備等を制御できるようにすることも重要であり、このような制御を可能とする携帯電話装置が求められている。
【０００８】
本発明は、上記問題点に鑑みてなされたものであって、その主たる目的は、緊急災害情報受信時における、ユーザの利便性を向上させることができる携帯電話装置及びその制御方法を提供することにある。
【課題を解決するための手段】
【０００９】
上記目的を達成するため、本発明は、緊急災害情報を受信する受信手段と、前記緊急災害情報を表示手段に表示させると共に、前記緊急災害情報に基づいて災害を特定し、前記災害に応じて予め設定された処理条件に基づいて、予め定められた接続先に、予め定められた情報を通知する処理手段と、を少なくとも備えるものである。
【００１０】
また、本発明は、緊急災害情報を受信する受信手段と、前記緊急災害情報を表示手段に表示させると共に、前記緊急災害情報に基づいて災害を特定し、前記災害に応じた処理条件を設定するための画面を前記表示手段に表示させ、前記画面で設定された接続先に、前記画面で設定された情報を通知する処理手段と、を少なくとも備えるものである。
【００１１】
また、本発明の携帯電話装置における緊急災害情報受信時の制御方法は、災害に応じた処理を定める処理条件を設定し、記憶する設定ステップと、緊急災害情報を受信する受信ステップと、前記緊急災害情報を表示手段に表示すると共に、前記緊急災害情報に基づいて災害を特定し、前記災害に応じて予め設定された処理条件に基づいて、予め定められた接続先に、予め定められた情報を通知する処理ステップと、を少なくとも備えるものである。
【００１２】
また、本発明の携帯電話装置における緊急災害情報受信時の制御方法は、緊急災害情報を受信する受信ステップと、前記緊急災害情報を表示手段に表示すると共に、前記緊急災害情報に基づいて災害を特定し、前記災害に応じた処理条件を設定するための画面を前記表示手段に表示し、前記画面で設定された接続先に、前記画面で設定された情報を通知する処理ステップと、を少なくとも備えるものである。
【発明の効果】
【００１３】
本発明の携帯電話装置及び緊急災害情報受信時の制御方法によれば、緊急災害情報受信時に、ユーザが意識することなく、予め決められた相手にコンテンツ（プレゼンス情報等）を通知したり、自宅設備等に制御信号を通知することが可能になる。また、災害に対する処理条件を容易に設定することが可能となる。
【発明を実施するための最良の形態】
【００１４】
背景技術で示したように、緊急災害情報受信時に各種動作を行う携帯電話装置が提案されているが、予め設定した相手にプレゼンス情報などのコンテンツを自動的又は簡単な操作で通知したり、自宅設備等を制御するなどの処理を行うことができる携帯電話装置はなく、利便性が悪いという問題があった。
【００１５】
そこで、本発明では、携帯電話装置に、サービス提供された緊急災害情報を受信する受信手段と、受信した緊急災害情報に基づいて災害を特定し、予め設定された処理条件、若しくは、表示された設定画面で設定した処理条件に基づいて、予め設定した接続先に予め設定した情報を通知する処理手段と、を設ける。
【００１６】
例えば、移動体通信網（オペレータ）が提供しているＣＢＳ（Cell Broadcast Service）による地域（Cell）単位の緊急災害情報や、地上波デジタルテレビ（以後、ＤＴＶ：Digital-TVと呼ぶ。）付携帯電話装置で任意の放送局を視聴・録画中に放送局が配信する緊急災害情報を認識し、発生した災害が予め定めた災害に該当する場合、例えば、所定の震度以上の地震の場合に、ユーザが予め設定した操作、若しくは、緊急災害情報受信時に画面上で設定した操作、例えば、家族や会社への所在（位置）連絡（メール、プレゼンス登録等）、自宅の設備や電力・ガス・水道といったライフラインを遠隔制御するといった操作を可能とする。
【００１７】
これにより、様々な処理を希望するユーザの利便性を向上させることができる。
【実施例】
【００１８】
上記した本発明の一実施の形態についてさらに詳細に説明すべく、本発明の一実施例に係る携帯電話装置及び緊急災害情報受信時の制御方法について、図１及び図２を参照して説明する。図１は、本実施例の携帯電話装置の構成を示すブロック図であり、図２は、本実施例の緊急災害情報受信時の制御手順を示すフローチャート図である。
【００１９】
図１に示すように、本実施例の携帯電話装置は、アンテナ１０、無線部２０、ベースバンド部３０、制御処理部４０、表示部５０、操作部６０などで構成される。また、ＤＴＶ付携帯電話装置の場合は、ＤＴＶ受信部７０、ＤＴＶ用アンテナ８０などを装備する構成としてもよい。
【００２０】
アンテナ１０、無線部２０及びベースバンド部３０は、受信時には、アンテナ１０と無線部２０により移動体通信網（ＮＷ）からの送信される波（ＣＢＳ）を検出し、ベースバンド部３０で復調処理を行う。送信時には、操作部６０や図示しないマイクなどから入力された信号をベースバンド部３０で変調処理し、アンテナ１０と無線部２０により移動体通信網（ＮＷ）に送信する。
【００２１】
ＤＴＶ受信部７０及びＤＴＶ用アンテナ８０は、ＤＴＶ放送局より放送される番組情報や緊急災害情報（地震、津波到達時間情報含む。）を受信する。
【００２２】
制御処理部４０は、ＣＰＵ（Central Processing Unit）と、ＲＯＭ（Read Only Memory）やＲＡＭ（Random Access Memory）などのメモリとで構成され、携帯電話装置全体の動作を制御する。
【００２３】
また、制御処理部４０は、受信した緊急災害情報に基づいて災害を特定し、災害に応じて設定された処理条件に基づいて、予め定められた接続先に予め定められた情報を通知する制御、又は、災害に応じた処理条件を設定するための設定画面を表示手段に表示させる制御などを行う処理手段として機能する。
【００２４】
なお、上記処理条件とは、緊急災害情報受信時の処理方法（自動処理又は手動処理）、緊急災害情報で特定される災害に対して処理を行うか否かを判断するための基準となる条件（例えば、災害の規模や災害発生地域からの距離など）、災害に対して通知する情報（例えば、安否情報や自宅設備等を制御するための制御情報など）、その情報を通知する接続先（例えば、電子メールアドレスや電話番号、設備のＩＰ（Internet Protocol）アドレスなど）である。
【００２５】
表示部５０は、ＬＣＤ（Liquid Crystal Display）や有機ＥＬ（electroluminescence）ディスプレイなどで構成され、緊急災害情報の表示や、災害に応じた処理条件を設定するための設定画面の表示などを行う。
【００２６】
操作部６０は、数字キーやファンクションキー、十字キーなどの複数のキーで構成され、災害に応じた処理条件を設定する操作を可能とする。
【００２７】
なお、図１は、本実施例の携帯電話装置の基本構成であり、例えば、携帯電話装置の位置を測位するＧＰＳ（Global Positioning System）機能などを備えていてもよい。
【００２８】
以下、上記構成の携帯電話装置を用いた緊急災害情報受信時の制御方法について、図２のフローチャート図を参照して説明する。なお、制御処理部４０のメモリなどには、ユーザが予め設定した処理条件が記憶されているものとする。
【００２９】
まず、ステップＳ１０１で、アンテナ１０及び無線部２０は、移動体通信網（ＮＷ）からの送信される波（ＣＢＳ）を検出し、ベースバンド部３０は、検出した信号を復調処理する。また、ＤＴＶ用アンテナ８０とＤＴＶ受信部７０は、ＤＴＶ放送局からの放送を受信する。
【００３０】
次に、ステップＳ１０２で、制御処理部４０は、受信した信号が緊急災害情報であるか（又は緊急災害情報を含むか）を判断する。なお、受信した信号が緊急災害情報であるかを判断する方法は任意であるが、例えば、予め定められた特定の発信元からの情報であるか、受信した信号に特定の情報（例えば、緊急フラグ）が含まれているかなどによって判断することができる。
【００３１】
そして、受信した信号が緊急災害情報でない場合は本実施例の制御を行うことなく処理を終了する。一方、緊急災害情報であれば、ステップＳ１０３で、制御処理部４０は、表示部５０に、ＮＷやＤＴＶ放送局より配信される緊急災害情報を表示させる。なお、緊急災害情報の表示方法も任意であるが、例えば、緊急災害情報を通知するための画面に切り替えたり、緊急災害情報をテロップやポップアップ画面で通知することができる。
【００３２】
次に、ステップＳ１０４で、必要に応じて、制御処理部４０は、携帯電話装置の位置を測位する。例えば、ＧＰＳ搭載携帯電話装置の場合は、ＧＰＳ機能を用いて位置を測位する。また、ＮＷのセル情報より地域（位置）を判別する。
【００３３】
次に、ステップＳ１０５で、制御処理部４０は、緊急災害情報に基づいて災害を特定し、予め設定された処理条件に基づいて、その災害が、処理が必要な災害であるか否かを判断する。例えば、災害の規模（例えば、震度５以上）が設定されている場合、それ以上の震度の地震の場合に、処理が必要な災害であると判断する。また、ＤＴＶ放送局からの緊急災害情報の場合は、移動通信網特定セル内情報とは違い、広域情報を含む為、災害発生地との位置関係（例えば、災害発生場所と同じ市町村、災害発生場所から半径１０ｋｍ以内等）を設定してもよい。
【００３４】
次に、ステップＳ１０６で、制御処理部４０は、予め設定された処理条件に基づいて、災害に対する処理方法（自動処理／手動処理）を判断する。又は、特定した災害に対する処理条件がメモリ等に予め記憶されているかを判断し、記憶されている場合は自動処理を行い、記憶されていない場合は手動処理を行う。
【００３５】
自動処理の場合は、ステップＳ１０７で、制御処理部４０は、メモリ等から、特定した災害に対応して予め設定された接続先と通知する情報とを読み出す。この情報は前述したように、安否情報と自宅設備等の制御情報を含むことが好ましい。
【００３６】
一方、手動処理の場合は、ステップＳ１０８で、制御処理部４０は、処理条件を設定するための設定画面を表示部５０に表示させ、ユーザはソフトメニュー等から処理内容を設定する。
【００３７】
なお、上記設定画面の構成は任意であるが、処理条件の設定を容易にするために、予め決められた相手のカテゴリ（例えば、家族、友人、会社、ＩＭＳサーバ等）別に通知内容（コンテンツ）を分類しておくことが好ましい。
【００３８】
また、設定画面を表示部５０に表示させる前に、「プリセット操作を行いますか？」等のポップアップ画面を表示させ、ＹＥＳ／ＮＯによるユーザ選択により、予め設定された処理条件に設定されるようにしても良い。
【００３９】
そして、ステップＳ１０９で、制御処理部４０は、メモリ等から読み出した処理条件、若しくは、設定画面で設定された処理条件に従って、予め定められた接続先に、予め定められた情報を通知する。
【００４０】
例えば、予め決められた相手（家族、友人、会社、ＩＭＳ（IP Multimedia Subsystem）サーバなど）への通知（メール、プレゼンス登録等）を行う。また、近年、携帯電話装置より自宅の設備を遠隔制御するというシステムが拡充していることから、自宅の設備に制御情報を通知し、電力・ガス・水道といったライフラインの遠隔制御（例えば、ガスの遮断）などを行うことも可能である。
【００４１】
また、受信した緊急災害情報のみでは災害の詳細が分からない場合もあることから、自動的に移動通信網（オペレータ）が提供する災害情報サイト、もしくは外部インターネット上の災害情報サイトにアクセスして、詳細な災害情報を入手する制御を行ってもよい。
【００４２】
ここで、緊急災害時は、移動通信網がトラヒック輻輳、もしくはダウンしている場合もあることから、ステップＳ１１０で、制御処理部４０は、通知が成功したかを判断し、通知に失敗した場合はステップＳ１０９に戻って再度通知を行い、通知が成功するまで所定の間隔で通知を繰り返す。そして、通知が成功したら一連の制御を終了する。
【００４３】
このように、携帯電話装置の制御処理部４０は、受信した緊急災害情報に基づいて災害を特定し、その災害が処理を必要とする災害であるかを判断し、予め設定された処理条件に基づいて、予め定めた情報を予め定めた接続先に通知する制御、若しくは、処理条件を設定するための設定画面を表示させ、設定画面で設定された処理条件に基づいて、設定した情報を設定した接続先に通知する制御を行うことにより、様々な処理を希望するユーザの利便性を向上させることができる。
【００４４】
なお、上記実施例では、携帯電話装置の制御に関して説明したが、本発明は上記実施例に限定されるものではなく、緊急災害情報を受信可能であり、所定の情報を送信可能な任意の通信機器に対して同様に適用することができる。
【産業上の利用可能性】
【００４５】
本発明は、緊急災害情報を受信でき、かつ、所定の情報を発信することができる任意の通信装置、例えば携帯電話装置に利用可能である。
【図面の簡単な説明】
【００４６】
【図１】本発明の一実施例に係る携帯電話装置の構成を示すブロック図である。
【図２】本発明の一実施例に係る携帯電話装置における緊急災害情報受信時の制御手順を示すフローチャート図である。
【図３】従来の携帯電話装置における緊急災害情報受信時の制御手順を示すフローチャート図である。
【符号の説明】
【００４７】
１０  アンテナ
２０  無線部
３０  ベースバンド部
４０  制御処理部
５０  表示部
６０  操作部
７０  ＤＴＶ受信部
８０  ＤＴＶ用アンテナ
【図１】
0005181721.tif 000002
【図２】
0005181721.tif 000003
【図３】
0005181721.tif 000004